(57)【要約】      （修正有）【課題】リソース構成の柔軟性を向上させることができるシステム情報の伝送方法及び端末を提供する。【解決手段】システム情報の伝送方法であって、端末が、少なくとも二つの無線構成パラメータセット内の少なくとも一つの第１の無線構成パラメータセットに基づいて、第１の時間帯で少なくとも一つの第１の周波数ドメインリソースを介して、第１のシステム情報を受信し、少なくとも一つの第１の周波数ドメインリソース内のいずれか二つの周波数ドメインリソースに対応する周波数が異なり、少なくとも二つの無線構成パラメータセットが、端末により取得又は事前に記憶されたものであり、少なくとも二つの無線構成パラメータセット内の各無線構成パラメータセットは、少なくとも一つの無線構成パラメータを含み、いずれか二つの無線構成パラメータセットに含まれる無線構成パラメータの値が一部、又は全部異なり、無線構成パラメータがサブ搬送波間隔を含む。【選択図】図２
2020184791.tif 000002
【特許請求の範囲】
【請求項１】
システム情報の伝送方法であって、
端末が、少なくとも二つの無線構成パラメータセット内の少なくとも一つの第１の無線構成パラメータセットに基づいて、第１の時間帯で少なくとも一つの第１の周波数ドメインリソースを介して、第１のシステム情報を受信すること、を含み、
前記少なくとも一つの第１の周波数ドメインリソース内のいずれか二つの周波数ドメインリソースに対応する周波数が異なり、
前記少なくとも二つの無線構成パラメータセットが、前記端末により取得又は事前に記憶されたものであり、前記少なくとも二つの無線構成パラメータセット内の各無線構成パラメータセットは、少なくとも一つの無線構成パラメータを含み、いずれか二つの無線構成パラメータセットに含まれる無線構成パラメータの値が一部、又は全部異なり、前記無線構成パラメータがサブ搬送波間隔を含む、
ことを特徴とするシステム情報の伝送方法。
【請求項２】
前記端末が、前記少なくとも一つの第１の周波数ドメインリソースに基づいて、前記少なくとも一つの第１の無線構成パラメータセットを確定することを含む、
ことを特徴とする請求項１に記載のシステム情報の伝送方法。
【請求項３】
前記端末が、前記少なくとも一つの第１の周波数ドメインリソースに基づいて、前記少なくとも一つの第１の無線構成パラメータセットを確定することは、
前記端末が、前記少なくとも一つの第１の周波数ドメインリソースに属する搬送波帯域と搬送波周波数ドメインの幅に基づいて、前記少なくとも一つの第１の無線構成パラメータセットを確定することを含む、
ことを特徴とする請求項２に記載のシステム情報の伝送方法。
【請求項４】
前記第１のシステム情報は、第１の指示情報を含み、前記第１の指示情報は、前記端末が第２のシステム情報を受信するのに使用される時間周波数リソース及び／又は無線構成パラメータセットを示すために用いられ、ここで、前記第１のシステム情報はマスタ情報ブロック（ＭＩＢ）を含み、前記第２のシステム情報は少なくとも一つのシステム情報ブロック（ＳＩＢ）を含む、
ことを特徴とする請求項１〜３のいずれか１項に記載のシステム情報の伝送方法。
【請求項５】
前記第１のシステム情報が、システムフレーム番号（ＳＦＮ）と制御信号の伝送モードとをさらに含む、
ことを特徴とする請求項４に記載のシステム情報の伝送方法。
【請求項６】
端末であって、
少なくとも二つの無線構成パラメータセット内の少なくとも一つの第１の無線構成パラメータセットに基づいて、第１の時間帯で少なくとも一つの第１の周波数ドメインリソースを介して、第１のシステム情報を受信するように構成される受信ユニットを含み、
前記少なくとも一つの第１の周波数ドメインリソース内のいずれか二つの周波数ドメインリソースに対応する周波数が異なり、
前記少なくとも二つの無線構成パラメータセットが、前記端末により取得又は事前に記憶されたものであり、前記少なくとも二つの無線構成パラメータセット内の各無線構成パラメータセットは、少なくとも一つの無線構成パラメータを含み、いずれか二つの無線構成パラメータセットに含まれる無線構成パラメータの値が一部、又は全部異なり、前記無線構成パラメータがサブ搬送波間隔を含む、
ことを特徴とする端末。
【請求項７】
前記少なくとも一つの第１の周波数ドメインリソースに基づいて、前記少なくとも一つの第１の無線構成パラメータセットを確定するように構成される確定ユニットをさらに含む、
ことを特徴とする請求項６に記載の端末。
【請求項８】
前記確定ユニットが、
前記少なくとも一つの第１の周波数ドメインリソースに属する搬送波帯域と搬送波周波数ドメインの幅に基づいて、前記少なくとも一つの第１の無線構成パラメータセットを確定するようにさらに構成される、
ことを特徴とする請求項７に記載の端末。
【請求項９】
前記第１のシステム情報は、第１の指示情報を含み、前記第１の指示情報は、前記端末が第２のシステム情報を受信するのに使用される時間周波数リソース及び／又は無線構成パラメータセットを示すために用いられ、ここで、前記第１のシステム情報はマスタ情報ブロック（ＭＩＢ）を含み、前記第２のシステム情報は少なくとも一つのシステム情報ブロック（ＳＩＢ）を含む、
ことを特徴とする請求項６〜８のいずれか１項に記載の端末。
【請求項１０】
前記第１のシステム情報が、システムフレーム番号（ＳＦＮ）と制御信号の伝送モードとをさらに含む、
ことを特徴とする請求項９に記載の端末。
【発明の詳細な説明】
【技術分野】
【０００１】
本発明は通信分野に関し、特にシステム情報の伝送方法、基地局及び端末に関する。
【背景技術】
【０００２】
ロング・ターム・エボリューション（ＬＴＥ：Ｌｏｎｇ  Ｔｅｒｍ  Ｅｖｏｌｕｔｉｏｎ）システムにおいて、基地局は、特定の時間周波数リソースを介して、特定の無線構成パラメータセット（例えば、サブ搬送波間隔、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル長、サイクリックプレフィックス（ＣＰ：Ｃｙｃｌｉｃ  Ｐｒｅｆｉｘ）長、ＯＦＤＭの数、サブフレーム長、及び無線フレーム長を含む）によって、システム情報（例えば、マスタ情報ブロック（ＭＩＢ：Ｍａｓｔｅｒ  Ｉｎｆｏｒｍａｔｉｏｎ  Ｂｌｏｃｋ））を送信する。端末は、当該特定の時間周波数リソースで当該システム情報を受信した後に、当該特定の無線構成パラメータセットに基づいて、当該システム情報からデータを取得し、それでセルへのアクセスを完成させる。つまり、基地局と端末との間でシステム情報を伝送する時間周波数リソースは、事前に取り決めたものであり、システム情報を伝送するための無線構成パラメータセットも事前に取り決めたものである。
【０００３】
しかし、同一セル内で、システム情報を伝送するための無線構成パラメータセットは、変わるものではなく、しかも基地局は、同一タイミングで一つだけの特定の無線構成パラメータセットに基づいてシステム情報を送信するしかならず、これは、ユーザの異なる場面、異なるサービス、異なる時間帯におけるネットワークのニーズを満たすことができない。
【０００４】
そのため、無線構成パラメータセットが異なるニーズを満たすことができるように、無線リソース構成の柔軟性を向上させることができる技術案を提供する必要がある。
【発明の概要】
【０００５】
本開示は、無線構成パラメータセットが異なるニーズを満たすことができるように、無線リソース構成の柔軟性を向上させる、システム情報の伝送方法、基地局、及び端末を提供する。
【０００６】
第１の態様において、本開示は、システム情報の伝送方法を提供する。前記システム情報の伝送方法は、基地局は、少なくとも二つの無線構成パラメータセットを取得することと、前記基地局は、前記少なくとも二つの無線構成パラメータセットから、第１の時間帯で第１のシステム情報を伝送するための少なくとも一つの第１の無線構成パラメータセットを確定することと、前記基地局は、前記少なくとも一つの第１の無線構成パラメータセットに基づいて、前記第１の時間帯で少なくとも一つの第１の周波数ドメインリソースを介して前記第１のシステム情報を送信することと、を含み、
前記少なくとも二つの無線構成パラメータセット内の各無線構成パラメータセットは、少なくとも一つの無線構成パラメータを含み、いずれか二つの無線構成パラメータセット内の少なくとも一つの無線構成パラメータの値が異なり、前記少なくとも一つの第１の周波数ドメインリソースは、前記少なくとも一つの第１の無線構成パラメータセットと、前記第１の時間帯内で一対一対応され、前記少なくとも一つの第１の周波数ドメインリソース内のいずれか二つの周波数ドメインリソースに対応する周波数が異なる。
【０００７】
システム情報を伝送するための少なくとも二つの無線構成パラメータセットを取得することによって、基地局は、当該少なくとも二つの無線構成パラメータセット内の少なくとも一つの第１の無線構成パラメータセットに基づいて、第１のシステム情報を送信することができ、つまり、同一時間帯において、複数の周波数ドメインリソースを介して、複数の無線構成パラメータセットに基づいて第１のシステム情報を送信することができ、それによって無線リソース構成の柔軟性を向上させることができる。しかも、端末は、当該少なくとも二つの無線構成パラメータセットを取得することによって、当該少なくとも二つの無線構成パラメータセットから第１のシステム情報を受信するための第１の無線構成パラメータセットを確定し、それによって第１のシステム情報を正確に取得する。端末の起動後のネットワーク選択、セルの再選又はセルのハンドオーバー過程において、本発明を使用することによって、基地局より送信されるシステム情報を迅速、正確に取得し、端末のセルへのアクセスの効率を向上させることができる。
【０００８】
第１の態様を結合して、第１の態様の第１の可能な実現形態において、前記システム情報の伝送方法は、前記基地局は、前記少なくとも二つの無線構成パラメータセットから、第２の時間帯で前記第１のシステム情報を伝送するための少なくとも一つの第２の無線構成パラメータセットを確定することと、前記基地局は、前記少なくとも一つの第２の無線構成パラメータセットに基づいて、前記第２の時間帯で少なくとも一つの第２の周波数ドメインリソースを介して、前記第１のシステム情報を送信することと、をさらに含み、
前記少なくとも一つの第２の周波数ドメインリソースは前記少なくとも一つの第２の無線構成パラメータセットと、前記第２の時間帯内で一対一対応され、前記少なくとも一つの第２の周波数ドメインリソース内のいずれか二つの周波数ドメインリソースに対応する周波数が異なる。
【０００９】
そのため、基地局は、異なる時間帯で同様又は相違の少なくとも一つの周波数ドメインリソースを介して第１のシステム情報を送信することができ、しかも、異なる時間帯の同一の周波数ドメインリソースは、異なる無線構成パラメータセットに対応することができ、同一セル内で第１の当該システム情報を送信するための無線構成パラメータセットを動的に調整することができ、さらにリソース構成の柔軟性を向上させることができる。
【００１０】
第１の態様を結合して、第１の態様の第２の可能な実現形態において、前記基地局は、前記少なくとも一つの第１の無線構成パラメータセット内の各無線構成パラメータセットに対応する周波数ドメインリソースに属する搬送波帯域と搬送波周波数ドメインの幅、前記基地局の所在する地理位置と周辺環境、前記第１のシステム情報を送信する送信電力又は前記第１のシステム情報を送信するアンテナ形態のうちの少なくとも一つに基づいて、前記少なくとも二つの無線構成パラメータセットから、第１の時間帯で前記第１のシステム情報を伝送するための前記少なくとも一つの第１の無線構成パラメータセットを確定する。
【００１１】
上記で列挙される各要素に基づいて、少なくとも二つの無線構成パラメータセットを確定することによって、異なる場面、異なる地理位置、異なる環境にある基地局は、異なるニーズに適する無線構成パラメータセットを使用してシステム情報を伝送し、更なる柔軟性を持ち、合理的なリソース構成が可能なようにする。
【００１２】
第１の態様の上記の可能な実現形態を結合し、第１の態様の第３の可能な実現形態において、前記第１のシステム情報は第１の指示情報を含み、前記第１の指示情報は、前記基地局が第２のシステム情報を送信するのに使用される時間周波数リソース及び／又は無線構成パラメータセットを示すために用いられ、ここで、前記第１のシステム情報はマスタ情報ブロック（ＭＩＢ）を含み、前記第２のシステム情報は少なくとも一つのシステム情報ブロック（ＳＩＢ）を含む。第２のシステム情報を送信するのに使用される無線構成パラメータセットは、上記の少なくとも二つの無線構成パラメータセット内の一部又は全部であっても良く、その他の無線構成パラメータセットであっても良く、同様に、第２のシステム情報を送信するのに使用される時間周波数リソースは、第１のシステム情報を送信するための少なくとも二つの時間周波数リソース内の一部又は全部であっても良く、その他の時間周波数リソースであっても良い。
【００１３】
第１のシステム情報に、第２のシステム情報に対応する時間周波数リソース及び／又は無線構成パラメータセットを示すための第１の指示情報を含ませることによって、端末は、再度サーチの過程を繰り返す必要とせず、第１のシステム情報を取得した後に、第１の指示情報に基づいて、第２のシステム情報を迅速に取得することができ、端末のシステム情報の取得の効率を大幅に向上させることができる。
【００１４】
第１の態様の上記の可能な実現形態を結合し、第１の態様の第４の可能な実現形態において、前記基地局は第１のセルの基地局であり、前記端末は第１のセルの端末であり、前記システム情報の伝送方法は、前記基地局は、前記端末に第２の指示情報を送信することをさらに含み、前記第２の指示情報は、前記端末が第３のシステム情報を受信するのに使用される時間周波数リソース及び／又は無線構成パラメータセットを示すために用いられ、前記第３のシステム情報は前記第２のセルのシステム情報であり、前記第２のセルは前記第１のセルと隣接する。
【００１５】
端末に第２のセルの第３のシステム情報に対応する時間周波数リソース及び／又は無線構成パラメータセットの第２の指示情報を送信することによって、セルに位置する端末は、隣接セルのシステム情報（即ち、第３のシステム情報）を迅速、正確に取得することができ、セルの再選又はセルのハンドオーバーを完成させる。
【００１６】
第１の態様の上記の可能な実現形態を結合し、第１の態様の第５の可能な実現形態において、前記システム情報の伝送方法は、前記基地局は、前記端末に第３の指示情報を送信することをさらに含み、前記第３の指示情報は、前記第１のセルと前記第２のセルとの間のタイマーオフセットを示すために用いられる。
【００１７】
セル間の時間タイマーが同期されていない場合、端末にタイマーオフセットを示すための第３の指示情報を送信することによって、端末が、当該第３の指示情報に示されるタイマーオフセットと第２の指示情報に示される時間周波数リソース及び／又は無線構成パラメータセットとに基づいて、第３のシステム情報を迅速、正確に取得し、セルの再選又はセルのハンドオーバーを完成させることに有利である。
【００１８】
第２の態様において、本開示は、システム情報の伝送方法を提供し、前記システム情報の伝送方法は、端末は、少なくとも二つの無線構成パラメータセットを取得することと、前記端末は、前記少なくとも二つの無線構成パラメータセット内の少なくとも一つの第１の無線構成パラメータセットに基づいて、第１の時間帯で少なくとも一つの第１の周波数ドメインリソースを介して、基地局により送信される第１のシステム情報を受信することと、を含み、
前記少なくとも二つの無線構成パラメータセット内の各無線構成パラメータセットは、少なくとも一つの無線構成パラメータを含み、いずれか二つの無線構成パラメータセット内の少なくとも一つの無線構成パラメータの値が異なり、前記少なくとも一つの第１の周波数ドメインリソースは、前記少なくとも一つの第１の無線構成パラメータセットと、前記第１の時間帯内で一対一対応され、前記少なくとも一つの第１の周波数ドメインリソース内のいずれか二つの周波数ドメインリソースに対応する周波数が異なる。
【００１９】
端末は、当該少なくとも二つの無線構成パラメータセットに基づいて、第１のシステム情報を受信するための少なくとも一つの第１の無線構成パラメータセットを確定し、それによって第１のシステム情報を正確に取得する。端末の起動後のネットワーク選択、セルの再選又はセルのハンドオーバーの過程において、本発明を使用することによって、基地局により送信されるシステム情報を迅速、正確に取得し、端末のセルへのアクセス効率を向上させることができる。
【００２０】
第２の態様を結合して、第２の態様の第１の可能な実現形態において、前記端末は、前記第１のシステム情報を受信するための少なくとも一つの第１の周波数ドメインリソースを確定し、前記端末は、前記第１の周波数ドメインリソース内の各周波数ドメインリソースに対応する周波数に基づいて、前記少なくとも二つの無線構成パラメータセットから、少なくとも一つの前記第１の周波数ドメインリソースに対応する周波数に対応する無線構成パラメータセットの第１の集合を確定し、前記第１の集合は、前記少なくとも一つの第１の無線構成パラメータセットを含み、前記端末は、前記少なくとも一つの第１の無線構成パラメータセットに基づいて、前記第１の時間帯で、前記少なくとも一つの第１の周波数ドメインリソースを介して、前記基地局により送信される前記第１のシステム情報を受信する。
【００２１】
端末は、少なくとも一つの第１の周波数ドメインリソースに基づいて、少なくとも一つの第１の無線構成パラメータセットを確定することができ、そのため、上記の少なくとも二つの無線構成パラメータセットの中から、第１の無線構成パラメータセットをより迅速、正確に確定し、端末のシステム情報の取得効率を向上させることができる。
【００２２】
第２の態様の上記の可能な実現形態を結合し、第２の態様の第２の可能な実現形態において、前記システム情報の伝送方法は、前記端末は、前記少なくとも二つの無線構成パラメータセットから、第２の時間帯で前記第１のシステム情報を受信するための少なくとも一つの第２の無線構成パラメータセットを確定することと、前記端末は、前記少なくとも一つの第２の無線構成パラメータセットに基づいて、前記第２の時間帯で、少なくとも一つの第２の周波数ドメインリソースを介して、前記第１のシステム情報を受信することと、をさらに含み、
前記少なくとも一つの第２の周波数ドメインリソースは前記少なくとも一つの第２の無線構成パラメータセットと、前記第２の時間帯内で一対一対応され、しかも前記少なくとも一つの第２の周波数ドメインリソース内のいずれか二つの周波数ドメインリソースに対応する周波数が異なる。
【００２３】
そのため、端末は、異なる時間帯で同様又は相違の少なくとも一つの周波数ドメインリソースを介して、第１のシステム情報を送信することができ、異なる時間帯の同一周波数ドメインリソースに異なる無線構成パラメータセットが対応されることが可能であり、さらにリソース構成の柔軟性を向上させることができる。
【００２４】
第２の態様の上記の可能な実現形態を結合し、第２の態様の第３の可能な実現形態において、前記システム情報の伝送方法は、前記端末は、前記第１のシステム情報から第１の指示情報を取得することを含み、前記第１の指示情報は、前記端末が第２のシステム情報を受信するのに使用される時間周波数リソース及び／又は無線構成パラメータセットを示すために用いられ、ここで、前記第１のシステム情報はマスタ情報ブロック（ＭＩＢ）を含み、前記第２のシステム情報は少なくとも一つのシステム情報ブロック（ＳＩＢ）を含む。
【００２５】
第１のシステム情報に、第２のシステム情報に対応する時間周波数リソース及び／又は無線構成パラメータセットを示すための第１の指示情報を含ませることによって、端末は、再度サーチの過程を繰り返す必要とせず、第１のシステム情報を取得した後に、第１の指示情報に基づいて、第２のシステム情報を迅速に取得することができ、端末のシステム情報の取得の効率を大幅に向上させることができる。
【００２６】
第２の態様の上記の可能な実現形態を結合し、第２の態様の第４の可能な実現形態において、前記端末は第１のセルの端末であり、前記基地局は第１のセルの基地局であり、前記システム情報の伝送方法は、前記端末は、前記基地局により送信される第２の指示情報を受信することと、前記端末は、前記第２の指示情報に基づいて、前記第３のシステム情報を受信することと、をさらに含み、
前記第２の指示情報は、前記端末が第３のシステム情報を受信するのに使用される時間周波数リソース及び／又は無線構成パラメータセットを示すために用いられ、ここで、前記第３のシステム情報は前記第２のセルのシステム情報であり、前記第２のセルは前記第１のセルと隣接する。
【００２７】
端末に第２のセルの第３のシステム情報に対応する時間周波数リソース及び／又は無線構成パラメータセットの第２の指示情報を送信することによって、セルに位置する端末は、隣接セルのシステム情報（即ち、第３のシステム情報）を迅速、正確に取得することができ、セルの再選又はセルのハンドオーバーを完成させる。
【００２８】
第２の態様の上記の可能な実現形態を結合し、第２の態様の第５の可能な実現形態において、前記システム情報の伝送方法は、前記端末は、前記基地局により送信される第３の指示情報を受信することと、前記端末は、前記第２の指示情報と前記第３の指示情報とに基づいて、前記第３のシステム情報を受信することと、をさらに含み、前記第３の指示情報は、前記第１のセルと前記第２のセルとのタイマーオフセットを示すために用いられる。
【００２９】
セル間の時間タイマーが同期されていない場合、端末にタイマーオフセットを示すための第３の指示情報を送信することによって、端末が、当該第３の指示情報に示されるタイマーオフセットと第２の指示情報に示される時間周波数リソース及び／又は無線構成パラメータセットとに基づいて、第３のシステム情報を迅速、正確に取得し、セルの再選又はセルのハンドオーバーを完成させることに有利である。
【００３０】
第３の態様において、本開示は基地局を提供し、第１の態様又は第１の態様のいずれかの可能な実現形態における方法を実施するように構成される。具体的に、当該基地局は、第１の態様又は第１の態様のいずれかの可能な実現形態における方法を実施するように構成されるモジュールを含む。
【００３１】
第４の態様において、本開示は端末を提供し、第２の態様又は第２の態様のいずれかの可能な実現形態における方法を実施するように構成される。具体的に、当該端末は、第２の態様又は第２の態様のいずれかの可能な実現形態における方法を実施するように構成されるモジュールを含む。
【００３２】
第５の態様において、本開示は基地局を提供し、当該基地局は、送受信装置、メモリ、プロセッサ、及びバスシステムを含む。ここで、送受信装置、メモリ、及びプロセッサは、バスシステムによって接続され、メモリは、命令を記憶するように構成され、当該プロセッサは、送受信装置の信号の送受信を制御できるように、当該メモリに記憶される命令を実行するように構成され、当該プロセッサは、当該メモリに記憶される命令を実行する時に、当該実行は、当該プロセッサに第１の態様又は第１の態様のいずれかの可能な実現形態における方法を実行させる。
【００３３】
第６の態様において、本開示は端末を提供し、当該端末は、送受信装置、メモリ、プロセッサ、及びバスシステムを含む。ここで、送受信装置、メモリ、及びプロセッサは、バスシステムによって接続され、メモリは、命令を記憶するように構成され、当該プロセッサは、送受信装置の信号の送受信を制御できるように、当該メモリに記憶される命令を実行するように構成され、当該プロセッサは、当該メモリに記憶される命令を実行する時に、当該実行は、当該プロセッサに第２の態様又は第２の態様のいずれかの可能な実現形態における方法を実行させる。
【００３４】
第７の態様において、本開示はコンピュータ読み取り可能な媒体を提供し、コンピュータプログラムを記憶するように構成され、当該コンピュータプログラムは、第１の態様又は第１の態様のいずれかの可能な実現形態における方法を実行するための命令を含む。
【００３５】
第８の態様において、本開示はコンピュータ読み取り可能な媒体を提供し、コンピュータプログラムを記憶するように構成され、当該コンピュータプログラムは、第２の態様又は第２の態様のいずれかの可能な実現形態における方法を実行するための命令を含む。
【００３６】
いくつかの実現形態において、前記無線構成パラメータは、サブ搬送波間隔、直交周波数分割多重（ＯＦＤＭ）シンボル長、サイクリックプレフィックス長、ＯＦＤＭシンボルの数、無線フレーム長、及びサブフレーム長のうちの少なくとも一つを含む。
【００３７】
本開示はシステム情報の伝送方法、基地局、及び端末を提供し、リソース構成の柔軟性を向上させ、無線構成パラメータセットに異なるニーズを満たさせることができる。
【図面の簡単な説明】
【００３８】
【図１】本発明におけるシステム情報の伝送方法を使用する通信システムの概略図である。
【図２】本発明の一つの実施例によるシステム情報の伝送方法の概略的なフローチャートである。
【図３】本発明の一つの実施例による基地局の概略的なブロック図である。
【図４】本発明の一つの実施例による端末の概略的なブロック図である。
【図５】本発明別の一つの実施例による基地局の概略的なブロック図である。
【図６】本発明別の一つの実施例による端末の概略的なブロック図である。
【発明を実施するための形態】
【００３９】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００４０】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００４１】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。コンポーネントは例えば一つ又は複数のデータグループ（例えばローカルシステム、分散型システム及び／又はネットワーク間の別のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００４２】
本発明の技術案は、様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａｌ  Ｐａｃｋｅｔ  Ｒａｄｉｏ  Ｓｅｒｖｉｃｅ）システム、ロング・ターム・エボリューション（ＬＴＥ：Ｌｏｎｇ  Ｔｅｒｍ  Ｅｖｏｌｕｔｉｏｎ）システム、アドバンスド・ロング・ターム・エボリューション（Ａｄｖａｎｃｅｄ  ｌｏｎｇ  ｔｅｒｍ  ｅｖｏｌｕｔｉｏｎ、ＬＴＥ−Ａ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇ等に適用することができる。
【００４３】
任意選択で、ネットワークデバイスは基地局であり、端末デバイスはユーザデバイスである。
【００４４】
本発明は、端末デバイスを結合して各実施例を記載している。端末デバイスは、ユーザデバイス（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、移動デバイス、ユーザ端末、端末、無線通信デバイス、ユーザエージェント又はユーザ装置なども称することが可能である。端末デバイスは、無線ローカルネットワーク（ＷＬＡＮ：Ｗｉｒｅｌｅｓｓ  Ｌｏｃａｌ  Ａｒｅａ  Ｎｅｔｗｏｒｋｓ）内のステーション（ＳＴ：ＳＴＡＩＯＮ）であっても良く、セルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型ＰＬＭＮネットワークにおける端末デバイスなどであっても良い。
【００４５】
また、本発明はネットワークデバイスを結合して各実施例を記載している。ネットワークデバイスは、ネットワークデバイスなどの移動デバイスと通信するためのデバイスであってもよく、ネットワークデバイスは、無線ローカルネットワーク（ＷＬＡＮ：Ｗｉｒｅｌｅｓｓ  Ｌｏｃａｌ  Ａｒｅａ  Ｎｅｔｗｏｒｋｓ）におけるアクセスポイント（ＡＰ：Ａｃｃｅｓｓ  Ｐｏｉｎｔ）、ＧＳＭ又はシンボル分割多元接続ＣＤＭＡ（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であっても良く、ＷＣＤＭＡにおける基地局（ＮＢ：ＮｏｄｅＢ）であっても良く、さらにＬＴＥ内の又は進化型基地局（ｅＮＢ又はｅＮｏｄｅＢ：Ｅｖｏｌｕｔｉｏｎａｌ  Ｎｏｄｅ  Ｂ）、又は中継局又はアクセスポイント、又は車載デバイス、ウェアラブルデバイス、および将来の５Ｇネットワークにおける端末デバイス又は将来の進化型ＰＬＭＮネットワークにおけるネットワークデバイスなどであっても良い。
【００４６】
また、本発明の各々の態様又は特徴は、方法、装置又は標準化プログラミング、及び／又は、工程技術の製品として実現されても良い。本発明に使用されている用語「製品」は、任意のコンピュータでの読み取り可能な機器、キャリア、又は媒体からアクセスするコンピュータプログラムを含む。例えば、コンピュータで読み取り可能な媒体は、磁気メモリ（例えば、ハードディスク、フロッピー又は磁気テープなど）、光ディスク（例えば、圧縮ディスク（ＣＤ：Ｃｏｍｐａｃｔ  Ｄｉｓｋ）、デジタル汎用ディスク（ＤＶＤ：Ｄｉｇｉｔａｌ  Ｖｅｒｓａｔｉｌｅ  Ｄｉｓｋ）など）、スマートカードとフラッシュメモリー（例えば、消去可能、プログラム可能な読み取り専用なメモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、メモリ・スティック又はキー・ドライブなど）を含むが、それらに限らない。また、本文に記述する各種の記憶媒体は、情報を記憶する一つの又は複数のデバイス、及び／又は、その他の機器での読み取り可能な媒体に代表的に用いられる。用語「機器での読み取り可能な媒体」は、無線チャネルと、命令、及び／又は、データを記憶、包含、及び／又は、ベアラする各種のその他の媒体とを含むが、それらに限らない。
【００４７】
図１は、本発明における情報伝送の方法の通信システムの概略図である。図１に示すように、該通信システム１００は、ネットワークデバイス１０２を含み、ネットワークデバイス１０２は、複数のアンテナ、例えば、アンテナ１０４、１０６、１０８、１１０、１１２、及ぶ１１４を含み得る。また、ネットワークデバイス１０２は、送信機チェーンと受信機チェーンを付加的に含むことができ、当業者は、それらのいずれも信号の送信及び受信に関係する複数の部材（例えばプロセッサ、変調器、マルチプレクサ、復調器、デマルチプレクサ又はアンテナなど）を含み得ることを理解することができる。
【００４８】
ネットワークデバイス１０２は、複数個の端末デバイス（例えば、端末デバイス１１６と端末デバイス１２２）と通信することができる。さらに、ネットワークデバイス１０２が端末デバイス１１６又は１２２に類似する任意数の端末デバイスと通信することができると理解することができる。端末デバイス１１６と１２２は、例えばセルラー電話、スマートフォン、携帯パソコン、携帯通信デバイス、携帯計算デバイス、衛星無線装置、グローバルマッピングシステム、ＰＤＡ、及び／又は、無線通信システム１００において通信するための任意のその他の適切なデバイスであっても良い。
【００４９】
図１に示すように、端末デバイス１１６がアンテナ１１２及び１１４と通信を行い、ここでアンテナ１１２と１１４とは、順方向リンク１１８を介して端末デバイス１１６に情報を送信し、逆方向リンク１２０を介して端末デバイス１１６から情報を受信する。また、端末デバイス１２２はアンテナ１０４及び１０６と通信し、ここでアンテナ１０４と１０６は順方向リンク１２４を介して端末デバイス１２２に情報を送信し、逆方向リンク１２６を介して端末デバイス１２２から情報を受信する。
【００５０】
例えば、周波数分割複信（ＦＤＤ、Ｆｒｅｑｕｅｎｃｙ  Ｄｉｖｉｓｉｏｎ  Ｄｕｐｌｅｘ）システムにおいて、例えば、順方向リンク１１８が、逆方向リンク１２０で使用されているのと異なる帯域を利用することができ、順方向リンク１２４が、逆方向リンク１２６で使用されているのと異なる帯域を利用することができる。。
【００５１】
さらに例を挙げると、時分割複信（ＴＤＤ、Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、順方向リンク１１８と逆方向リンク１２０とは共通の帯域を使用することができ、順方向リンク１２４と逆方向リンク１２６とは共通の帯域を使用することができる。
【００５２】
通信に用いられるように設計される各アンテナ（又は複数のアンテナグループより構成されるアンテナグループ）、及び／又は、領域は、ネットワークデバイス１０２のセクタと称される。例えば、アンテナグループをネットワークデバイス１０２のカバレッジ領域のセクタ内の端末デバイスと通信するように設計することが可能である。ネットワークデバイス１０２が順方向リンク１１８と１２４を介して端末デバイス１１６と１２２とにそれぞれ通信を行う過程において、ネットワークデバイス１０２の送信アンテナは、ビームフォーミングを利用して順方向リンク１１８と１２４の信号対雑音比を改善することが可能である。また、ネットワークデバイスが単独のアンテナでそれのすべての端末デバイスに信号を送信する方式と比べて、ネットワークデバイス１０２がビームフォーミングを利用して、相関するカバレッジ領域内のランダム的に分散されている端末デバイス１１６と１２２とに信号を送信する時に、隣接セル内の移動デバイスは比較的に少ない干渉を受ける。
【００５３】
所定の時間において、ネットワークデバイス１０２、端末デバイス１１６又は端末デバイス１２２は、無線通信送信装置、及び／又は、無線通信受信装置であっても良い。データを送信するときに、無線通信送信装置は、データを符号化して伝送を行う。具体的に、無線通信送信装置は、チャネルを介して無線通信受信装置に送信しようとする一定の数のデータビットを取得（例えば、生成、その他の通信装置から受信、又はメモリに記憶するなど）することができる。このようなデータビットは、データの伝送ブロック（又は複数の伝送ブロック）内に含まれても良く、伝送ブロックが分割されて複数のコードブロックが生成されても良い。
【００５４】
なお、当該通信システム１００は、公衆携帯電話網（ＰＬＭＮ：Ｐｕｂｌｉｃ  Ｌａｎｄ  Ｍｏｂｉｌｅ  Ｎｅｔｗｏｒｋ）又はＤ２Ｄネットワーク又はＭ２Ｍネットワーク又はＶ２Ｖネットワーク又はＶ２Ｘネットワーク又はその他のネットワークであっても良く、図１は単なる例示的な概略図であり、ネットワークにその他のネットワークデバイスも含まれても良く、図１に図示していない。
【００５５】
図２は、本発明の一つの実施例によるシステム情報の伝送方法２００の概略的なフローチャートである。なお、図２には、デバイスのインタラクションの視点から説明する本発明の一つの実施例によるシステム情報の伝送方法の詳細の通信ステップ又は操作が示されているが、これらのステップ又は操作は、単なる例に過ぎず、本発明の実施例は、その他の操作又は図２内の各操作の変形も実施することができる。また、図２内の各ステップは、図２に示される異なる順序で実施されても良く、しかも図２内のすべての操作を実施しない可能性もある。
【００５６】
なお、本発明の実施例におけるシステム情報の伝送方法２００は、端末の起動後のネットワーク選択、又は端末のアイドル（ｉｄｌｅ）モードから接続（ｃｏｎｎｅｃｔｅｄ）モードへの必要とするセルの再選場面に適用することができる。具体的に、端末が起動した後又はアイドルモードから接続モードに変わるときに、セルのサーチと同期を行い、セルのシステム情報を取得してランダムアクセスする必要がある。本発明の実施例は、端末がセルのサーチと同期が完了してから、セルのシステム情報を取得する場面に具体的に適用することが可能である。しかし、本発明の適用場面はそれに限らず、本発明は、同様にセルのハンドオーバーの場面にも適用するよう可能であり、後述で本発明がセルのハンドオーバーの具体的な過程を詳しく説明する。
【００５７】
ここで、基地局が第１のセルの基地局であり、端末が第１のセルに位置する端末であると仮設すれば、端末が基地局から第１のセルのシステム情報を取得する具体的な過程は、方法２００を実施することによって完成することができる。
【００５８】
図２に示すように、当該方法２００はＳ２１０を含む。
【００５９】
Ｓ２１０において、基地局は、少なくとも二つの無線構成パラメータセットを取得し、当該少なくとも二つの無線構成パラメータセット内の各無線構成パラメータセットは、少なくとも一つの無線構成パラメータを含み、いずれか二つの無線構成パラメータセット内の少なくとも一つの無線構成パラメータの値が異なる。
【００６０】
ここで、限定ではなく、例として、無線構成パラメータセットは、サブ搬送波間隔、直交周波数分割多重（ＯＦＤＭ）シンボル長、サイクリックプレフィックス長、ＯＦＤＭシンボルの数、無線フレーム長、及びサブフレーム長を含む。なお、無線構成パラメータは、基地局と端末との間の情報伝送に用いられることが可能であり、例えば、基地局は、無線構成パラメータに基づいて、情報を変調し、端末は、無線構成パラメータに基づいて、情報を変調する。上記に列挙される無線構成パラメータは、本発明に対する制限にならずに、単なる例示的な説明である。無線構成パラメータは、基地局と端末との間の情報伝送時に基づくすべてのパラメータを含み、本発明は、これに対して特に限定しない。
【００６１】
本発明の実施例において、基地局は少なくとも二つの無線構成パラメータセットを予め取得することができ、各無線構成パラメータセットは、少なくとも一つの上記の無線構成パラメータを含み、しかもいずれか二つの無線構成パラメータセット内の少なくとも一つの無線構成パラメータの値が異なる。つまり、いずれか二つの無線構成パラメータセットに含まれる無線構成パラメータの値は、一部又は全部異なる。
【００６２】
基地局は、いずれか一つの無線構成パラメータセットに基づいて情報を伝送することができ、複数の無線構成パラメータ間が任意に組み合わせされ、複数の無線構成パラメータセットを得ることができる。上記で列挙されている無線構成パラメータを例として、サブ搬送波間隔は、１．２５ｋＨｚ、１５ｋＨｚ又は７５ｋＨｚであっても良く、サブフレーム長は、０．２５ｍｓ、１ｍｓ又は２．５ｍｓであっても良く、サブ搬送波間隔とサブフレーム長とは複数の組み合わせ方式があり得る。例えば、サブ搬送波間隔が１．２５ｋＨｚで、サブフレーム長が０．２５ｍｓである場合、サブ搬送波間隔が１．２５ｋＨｚであり、サブフレーム長が１ｍｓである場合等々があり、ここで一つずつに列挙しない。端末が複数の無線構成パラメータの各種の組み合わせによって情報を受信する場合、各種の可能な無線構成パラメータセットを全部確認しない限り、情報を正確に受信することができる無線構成パラメータセットを最終的に確定することができない。
【００６３】
そのため、本発明の実施例において、システム情報を伝送するための少なくとも二つの無線構成パラメータセットを予め定義することができ、基地局は、当該少なくとも二つの無線構成パラメータセット内の第１の無線構成パラメータセットに基づいて、第１のシステム情報を送信することができ、端末は、当該少なくとも二つの無線構成パラメータセット内の第１の無線構成パラメータセットに基づいて、第１のシステム情報を受信することができる。
【００６４】
なお、本発明の実施例に記載される、予め定義される少なくとも二つの無線構成パラメータセットは、システム情報の伝送のためだけではなく、データ又はシグナリングの伝送にも用いられることができ、本発明は、これに対して特に限定しない。
【００６５】
任意選択で、当該方法２００は、
基地局は、システムのサポートする各無線構成パラメータ値の集合を確定することと、
基地局は、各無線構成パラメータ値の集合に基づいて、少なくとも二つの無線構成パラメータセットを確定することと、をさらに含み、各値の集合は、一つのパラメータに対応する。
【００６６】
具体的に、基地局は、システムによりサポートされる各無線構成パラメータのすべての値を確定することができ、各無線構成パラメータは、一つの値の集合に対応し（便宜上、第１の値集合と称する）、各無線構成パラメータの第１の値集合に、当該無線構成パラメータの少なくとも一つの値が含まれる。例えば、システムのサポートするすべてのサブ搬送波間隔が１．２５ｋＨｚ＊Ｍ、Ｍ∈［１，６０］である場合、又は、システムのサポートするすべてのサブフレーム長がｔ＊Ｎ（例えば、ｔが０．１２５ｍｓである）、Ｎ∈［１，４０］である場合等々である。各無線構成パラメータの第１の値集合から一つの値を取り出し、複数の無線構成パラメータに対して組み合わせることによって、複数の（Ｓ個と仮説し、Ｓが２以上の自然数である）無線構成パラメータセットを確定することができる。
【００６７】
さらに、基地局は、上記の第１の値集合内の一部の値を予め定義し、それを無線構成パラメータセット内の無線構成パラメータ値の集合（便宜上、第２の値集合と称する）とすることができる。例えば、サブ搬送波間隔の値集合を（１．２５ｋＨｚ、１５ｋＨｚ、７５ｋＨｚ）と定義し、サブフレーム長の値集合を（０．２５ｍｓ、１ｍｓ、２．５ｍｓ）と定義する等々が列挙されることができる。つまり、第２の値集合は、第１の値集合の部分集合である。各々の無線構成パラメータの第２の値集合から一つの配列を取り出し、複数の無線構成パラメータに対して組み合わせることによって、複数の（Ｔ個と仮説し、Ｔが２以上の自然数である）無線構成パラメータセットを確定することができる。分かるように、Ｓ＞＞Ｔである。
【００６８】
なお、基地局は、第１の無線構成パラメータセットを確定する前に、第１のシステム情報を送信するのに使用される第１の時間周波数リソースを確定することができる。基地局が第１のシステム情報を送信するのに使用される第１の時間周波数リソースは、通信事業者により予め構成されることができ、例えば、通信事業者は、基地局の使用可能な搬送波帯域、基地局のカバレッジ範囲などの要素に基づいて、確定しても良く、ある特定の時間周波数リソースを、第１の時間周波数リソースとして人為的に定義しても良い。本発明は、これに対して特に限定しない。
【００６９】
Ｓ２２０において、基地局は、少なくとも二つの無線構成パラメータセットから、第１の時間帯で第１のシステム情報を伝送するための少なくとも一つの第１の無線構成パラメータセットを確定する。
【００７０】
便宜上、第１の時間帯で第１のシステム情報を送信する周波数ドメインリソースを、第１の周波数ドメインリソースと記述し、第１の時間帯第１の当該システム情報を送信するための無線構成パラメータセットを、第１の無線構成パラメータセットと記述する。
【００７１】
本発明の実施例において、当該第１のシステム情報は、アップ／ダウンリンク帯域幅を示すために用いられることが可能である。任意選択で、当該第１のシステム情報は、システムフレーム番号（ＳＦＮ：Ｓｙｓｔｅｍ  Ｆｒａｍｅ  Ｎｕｍｂｅｒ）、アンテナの数、制御信号の伝送モードを示すことも用いられること可能である。任意選択で、当該第１のシステム情報は、当該セル内に複数の無線構成パラメータが存在するか否かを示すためにさらに用いられることが可能である。なお、基地局は、同一時間帯内で、複数の第１の周波数ドメインリソースを介して、複数の第１の無線構成パラメータセットに基づいて送信される第１のシステム情報の中において、ＳＦＮが０〜４０９５フレーム範囲内で逓増して変化して、各第１のシステム情報に含まれるＳＦＮが異なる以外に、各第１のシステム情報に含まれるその他の情報はすべての同じであっても良い。つまり、第１のシステム情報毎に搬送される情報は変わらないものである。
【００７２】
任意選択で、基地局は、下記の少なくとも一つに基づいて、少なくとも二つの無線構成パラメータセットから、第１のシステム情報を伝送ための少なくとも一つの第１の無線構成パラメータセットを確定することができる。前記少なくとも一つの第１の無線構成パラメータセット内の各無線構成パラメータセットに対応する周波数ドメインリソースに属する搬送波帯域と搬送波周波数ドメインの幅、当該基地局の所在する地理位置と周辺環境、第１のシステム情報を送信する送信電力又は第１のシステム情報を送信するアンテナ形態。
【００７３】
具体的に、基地局は、第１の時間帯で第１のシステム情報を送信するための第１の周波数ドメインリソースを確定した後に、第１の周波数ドメインリソースに属する搬送波帯域と搬送波周波数ドメインの幅に基づいて、第１の無線構成パラメータセットをさらに確定することができる。
【００７４】
例を挙げて説明すると、まず、基地局は、第１の時間帯で第１のシステム情報を送信するのに使用される第１の周波数ドメインリソースに属する搬送波帯域と搬送波周波数ドメインの幅に基づいて、対応するサブ搬送波間隔を確定することができる。例えば、搬送波帯域が２ＧＨｚ〜４ＧＨｚである場合、対応するサブ搬送波間隔が１５ｋＨｚであることを確定することができ、搬送波帯域が３０ＧＨｚ／７０ＧＨｚである場合、サブ搬送波間隔が７５ｋＨｚであることを確定することができ、搬送波帯域が７００ＭＨｚより低い場合、サブ搬送波間隔が７．５ｋＨｚであることを確定することができる。
【００７５】
その後、基地局は、確定したサブ搬送波間隔に基づいて、対応するＯＦＤＭシンボル長、及び可能なＣＰ長を確定し、可能なサブフレーム長と無線フレーム長とをさらに確定し、最後にＯＦＤＭの数を確定することができる。
【００７６】
さらに、例えば、基地局は、第１のシステム情報を送信する送信電力又は第１のシステム情報を送信するアンテナ形態に基づいて、対応するＣＰ長を確定しても良い。送信電力が多く、又はアンテナが高い時に、大きいＣＰ長を使用しても良い。
【００７７】
さらに、例えば、基地局は、所在の地理位置、周辺環境、及び第１のシステム情報を送信する送信電力、アンテナ形態などの要素に基づいて、第１のシステム情報のカバレッジ範囲を確定し、カバレッジ範囲に基づいて、対応するＣＰ長を確定することができる。例えば、郊外のカバレッジ範囲の広い場面において、より大きいなＣＰ長を使用しても良く、密集の都市部又は室内などのカバレッジ範囲の小さい場面において、より小さいＣＰ長を使用しても良い。
【００７８】
なお、上記で列挙される、無線構成パラメータを確定する方法は、例示的な説明であり、例えば、サブ搬送波間隔は、搬送波帯域と搬送波周波数ドメインの幅とに関係し、搬送波帯域と搬送波周波数ドメインの幅とによって確定されても良く、搬送波帯域と搬送波周波数ドメインの幅とによって確定しなくても良い。また例えば、各無線構成パラメータは、第１のシステム情報を伝送ための周波数ドメインリソースが属する搬送波帯域、基地局の所在する地理位置と周辺環境、第１のシステム情報を送信する送信電力又は第１のシステム情報を送信するアンテナ形態のうちの少なくとも一つの要素によって決定され、複数の要素によって共同で決定されても良い。また、無線構成パラメータを確定する要素は、上記の記載に限らない。上記に列挙される要素は、本発明への制限になるべきではない。例えば、基地局は、端末の相対的な移動速度に基づいて、対応するサブ搬送波間隔を確定することもできる。具体的に、端末の相対的な移動速度が大きいである場合（例えば、移動中の電車）、大きいサブ搬送波間隔を使用しても良い。
【００７９】
Ｓ２３０において、基地局は、少なくとも一つの第１の無線構成パラメータセットに基づいて、前記第１の時間帯で、少なくとも一つの第１の周波数ドメインリソースを介して、第１のシステム情報を送信し、当該少なくとも一つの第１の周波数ドメインリソースは、当該少なくとも一つの第１の無線構成パラメータセットと、第１の時間帯内で一対一対応され、当該少なくとも一つの第１の周波数ドメインリソース内のいずれか二つの周波数ドメインリソースに対応する周波数が異なる。
【００８０】
基地局は、第１の時間帯で第１のシステム情報を送信するための少なくとも一つの第１の周波数ドメインリソースと、少なくとも一つの第１の無線構成パラメータセットとを確定した後に、当該少なくとも一つの第１の周波数ドメインリソースを介して、当該少なくとも一つの第１の無線構成パラメータセットに基づいて、第１のシステム情報を送信することができるようになる。
【００８１】
なお、上記の少なくとも一つの第１の周波数ドメインリソースは、少なくとも一つの第１の無線構成パラメータセットと、第１の時間帯内で一対一の対応関係があり得る。即ち、周波数ドメインリソースＡ（即ち、第１の周波数ドメインリソースの一例）は、無線構成パラメータセットＡ（即ち、第１の無線構成パラメータセットの一例）に対応し、周波数ドメインリソースＢ（即ち、第１の周波数ドメインリソースの別の一例）は、無線構成パラメータセットＢ（即ち、第１の無線構成パラメータセットの別の一例）に対応する。つまり、基地局は、第１の時間帯内で周波数ドメインリソースＡを介して、無線構成パラメータセットＡに基づいて、第１のシステム情報を送信しても良く、周波数ドメインリソースＢを介して、無線構成パラメータセットＢに基づいて、第１のシステム情報を送信しても良く、ここで一つずつ列挙しない。また、上記の少なくとも一つの第１の周波数ドメインリソース内のいずれか二つの周波数ドメインリソースに対応する周波数が異なり、少なくとも一つの第１の無線構成パラメータセット内のいずれか二つの無線構成パラメータセットが異なる。
【００８２】
なお、上記の少なくとも一つの第１の周波数ドメインリソースが、少なくとも一つの第１の無線構成パラメータセットと、第１の時間帯内における一対一の対応される関係は、本発明へいかなる制限になるべきではなく、第１の時間帯と異なる別の時間帯（例えば、第２の時間帯）で、少なくとも一つの第１の周波数ドメインリソースと、少なくとも一つの第１の無線構成パラメータセットとの間で上記の一対一の対応関係がない可能性があり、例えば、周波数ドメインリソースＡは、無線構成パラメータセットＢと対応関係があり得り、周波数ドメインリソースＢは無線構成パラメータセットＡと対応関係があり得り、又は、周波数ドメインリソースＡは、その他の無線構成パラメータセットと対応関係があり得り、本発明は、これに対して特に限定しない。
【００８３】
任意選択で、当該方法２００は、
基地局は、当該少なくとも二つの無線構成パラメータセットから、第２の時間帯で当該第１のシステム情報を送信するための少なくとも一つの第２の無線構成パラメータセットを確定することと、
基地局は、当該少なくとも一つの第２の無線構成パラメータセットに基づいて、当該第２の時間帯で少なくとも一つの第２の周波数ドメインリソースを介して、当該第１のシステム情報を送信することと、
をさらに含み、当該少なくとも一つの第２の周波数ドメインリソースは、当該少なくとも一つの第２の無線構成パラメータセットと、当該第２の時間帯内で一対一対応され、当該少なくとも一つの第２の周波数ドメインリソース内のいずれか二つの周波数ドメインリソースに対応する周波数が異なる。
【００８４】
具体的に、基地局は、同一セルで、異なる時間帯内で第１のシステム情報を送信するための周波数ドメインリソースと無線構成パラメータセットと調整することが可能である。便宜上、第２の時間帯で第１のシステム情報を送信する周波数ドメインリソースを、第２の周波数ドメインリソースと記載し、第２の時間帯第１の当該システム情報を送信するための無線構成パラメータセットを、第２の無線構成パラメータセットと記載する。
【００８５】
なお、第２の時間帯で第１のシステム情報を送信するための第２の周波数ドメインリソースは、第１の時間帯で第１のシステム情報を送信するための第１の周波数ドメインリソースと全く同様であっても良く、一部同様又は完全に異なっても良い。第２の時間帯で第１のシステム情報を送信するための第２の無線構成パラメータセットは、第１の時間帯で第１のシステム情報を送信するための第１の無線構成パラメータセットと全く同様であっても良く、一部同様又は完全に異なっても良い。また、第２の時間帯内で、少なくとも一つの第２の無線構成パラメータセットは、少なくとも一つの第２の周波数ドメインリソースと一対一対応される。つまり、無線構成パラメータセットと、周波数ドメインリソースとの第１の時間帯内での対応関係は、第２の時間帯内で変化される可能性があり、変わらない場合もあり、本発明は、これに対して特に限定しない。
【００８６】
即ち、第１の時間帯で、少なくとも一つの第１の無線構成パラメータセットは、少なくとも一つの第１の周波数ドメインリソースと一対一対応され、第２の時間帯で、少なくとも一つの第２の無線構成パラメータセットは、少なくとも一つの第２の周波数ドメインリソースと一対一対応される。ここで、当該少なくとも一つの第１の無線構成パラメータセットは、当該少なくとも一つの第２の無線構成パラメータセットと、同様であっても良く、異なっても良く、当該少なくとも一つの第１の周波数ドメインリソースは、少なくとも一つの第２の周波数ドメインリソースとも同様であっても良く、異なっても良い。当該少なくとも一つの第１の無線構成パラメータセットが、当該少なくとも一つの第２の無線構成パラメータセットと同じであり、且つ当該少なくとも一つの第１の周波数ドメインリソースが、当該少なくとも一つの第２の周波数ドメインリソースと同じである場合、少なくとも一つの第１の周波数ドメインリソースと少なくとも一つの第１の無線構成パラメータセットとの対応関係と、少なくとも一つの第２の周波数ドメインリソースと少なくとも一つの第２の無線構成パラメータセットとの対応関係も異なる可能性がある。
【００８７】
換言すれば、異なる時間帯で、基地局が第１のシステム情報を送信するのに使用される無線構成パラメータセットは、同じであっても良く、異なっても良い。異なる時間帯で、基地局が第１のシステム情報を送信するのに使用される周波数ドメインリソースも同じであっても良く、異なっても良い。異なる時間帯で、周波数ドメインリソースと無線構成パラメータセットとの対応関係は同じであっても良く、異なっても良い。
【００８８】
なお、「第１」と「第２」は、異なる時間帯で使用される周波数ドメインリソースと無線構成パラメータセットを区別するためであり、本発明へいかなる制限になるべきではない。
【００８９】
Ｓ２４０において、端末は、少なくとも二つの無線構成パラメータセットを取得し、少なくとも二つの無線構成パラメータセット内の各無線構成パラメータセットは、少なくとも一つの無線構成パラメータを含み、いずれか二つの無線構成パラメータセット内の少なくとも一つの無線構成パラメータの値が異なる。
【００９０】
端末は、少なくとも二つの無線構成パラメータセットを事前に記憶しておいても良く、当該少なくとも二つの無線構成パラメータセットは、Ｓ２１０で基地局が取得する少なくとも二つの無線構成パラメータセットと同様であり、便宜上、ここで省略する。
【００９１】
Ｓ２５０において、端末は、少なくとも二つの無線構成パラメータセット内の少なくとも一つの第１の無線構成パラメータセットに基づいて、第１の時間帯で少なくとも一つの第１の周波数ドメインリソースを介して、基地局により送信される第１のシステム情報を受信する。
【００９２】
端末は、上記の少なくとも二つの無線構成パラメータセットを取得した後に、当該少なくとも二つの無線構成パラメータセットを全部確認して、第１のシステム情報を取得するための第１の無線構成パラメータセットをサーチすることができる。
【００９３】
任意選択で、端末は、少なくとも二つの無線構成パラメータセット内の少なくとも一つの第１の無線構成パラメータセットに基づいて、第１の時間帯で少なくとも一つの第１の周波数ドメインリソースを介して、基地局により送信される第１のシステム情報を受信することは、
端末は、第１のシステム情報を受信するための少なくとも一つの第１の周波数ドメインリソースを確定することと、
端末は、少なくとも一つの第１の周波数ドメインリソース内の各周波数ドメインリソースに対応する周波数に基づいて、少なくとも二つの無線構成パラメータセットから、少なくとも一つの第１の周波数ドメインリソース内の各周波数ドメインリソースに対応する周波数に対応する無線構成パラメータセットの第１の集合を確定することと、
端末は、当該少なくとも一つの第１の無線構成パラメータセットに基づいて、第１の時間帯で当該少なくとも一つの第１の周波数ドメインリソースを介して基地局により送信される第１のシステム情報を受信することと、
を含み、当該第１の集合は、当該少なくとも一つの第１の無線構成パラメータセットを含む。
【００９４】
具体的に、端末は、サポートする帯域で第１のシステム情報をサーチすることができる。例えば、端末は、現行の周波数ネットワークノードによって、第１のシステム情報を順番に受信することができる。端末は、第１の時間帯で受信される第１のシステム情報と帯域とを第１の周波数ドメインリソースとして確定する。なお、端末の第１の周波数ドメインリソースの具体的なサーチ過程は、従来技術における端末の情報を受信するための時間周波数リソースのサーチ過程と同様であり、便宜上、ここで省略する。
【００９５】
その後、端末は、受信された第１のシステム情報の帯域に基づいて、対応する無線構成パラメータセットの集合を確定する（便宜上、第１の集合と記述する）。当該第１の集合は、少なくとも一つの無線構成パラメータセットを含み、当該第１の集合は当該少なくとも一つの第１の無線構成パラメータセットを含む。端末は、第１の集合内の各無線構成パラメータセットを全部確認し、第１のシステム情報を受信するための上記の少なくとも一つの第１の無線構成パラメータセットを最終的に確定することができる。
【００９６】
なお、端末が第１の時間周波数リソースに基づいて第１の無線構成パラメータセットを確定することは、本発明における第１の無線構成パラメータセットの確定方法の一つの選択可能な実現形態に過ぎず、本発明へのいかなる制限になるべきではない。第１の無線リソース構成パラメータは、第１の周波数ドメインリソースと相関しなくても良く、本発明は、これに対して特に限定しない。
【００９７】
なお、図２に示される各過程の番号は、実施の順番の前後と意味せず、各過程の実施順番は、それの機能と内部のロジックによって確定されるべきであり、本発明の実施例の実施過程へのいかなる制限になるべきではない。例えば、Ｓ２４０は、Ｓ２３０の後に実施しても良く、２３０の前に実施しても良く、ひいては２１０の前でも実施しても良い。本発明は、これに対して特に限定しない。
【００９８】
そのため、本発明の実施例によるシステム情報の伝送方法は、少なくとも二つの無線構成パラメータセットを取得してシステム情報を伝送することによって、無線リソース構成の柔軟性を提供することができる。端末が当該少なくとも二つの無線構成パラメータセットを取得することによって、端末が第１のシステム情報を伝送ための第１の無線構成パラメータセットを確定することに有利であり、端末は、第１の無線構成パラメータセットを迅速、正確に確定することができ、それによって第１のシステム情報を正確に取得することができる。
【００９９】
なお、システム情報は、基本システム情報（ＢＳＩ：Ｂａｓｉｃ  Ｓｙｓｔｅｍ  Ｉｎｆｏｒｍａｔｉｏｎ）と拡張システム情報とを含むことができる。
【０１００】
ここで、基本システム情報は、マスタ情報ブロック（ＭＩＢ）と称されても良く、拡張システム情報はシステム情報ブロック（ＳＩＢ：Ｓｙｓｔｅｍ  Ｉｎｆｏｒｍａｔｉｏｎ  Ｂｌｏｃｋ）と称されても良い。当該拡張システム情報は、共通又は共有チャネルの情報、又はセルの再選に関係するパラメータ等々とを含むことができ、本発明はこれに対して限定しない。
【０１０１】
以上に列挙される第１のシステム情報はＭＩＢであっても良く、ＭＩＢとＳＩＢであっても良い。つまり、基地局は、第１の時間帯で第１の無線構成パラメータセットに基づいて、第１の周波数ドメインリソースを介してＭＩＢを送信しても良く、基地局は、第１の時間帯で第１の無線構成パラメータセットに基づいて、第１の周波数ドメインリソースを介してＭＩＢとＳＩＢとを送信しても良い。本発明は、これに対して特に限定しない。
【０１０２】
下記において、第１のシステム情報がＭＩＢと仮設し、基地局は、その他の時間周波数リソースを介して、ＳＩＢ（便宜上、第２のシステム情報と記述する）を送信しても良い。
【０１０３】
任意選択で、第１のシステム情報は第１の指示情報を含み、第１の指示情報は、基地局第２のシステム情報を送信するのに使用される時間周波数リソース及び／又は無線構成パラメータセットを示すために用いられ、ここで、第１のシステム情報はマスタ情報ブロック（ＭＩＢ）を含み、第２のシステム情報は少なくとも一つのシステム情報ブロック（ＳＩＢ）を含む。
【０１０４】
具体的に、端末は、第１の時間帯で第１の無線構成パラメータセットに基づいて第１のシステム情報を受信下後に、第１のシステム情報に含まれる第１の指示情報に基づいて、基地局が第２のシステム情報を送信するのに使用される時間周波数リソース、又は無線構成パラメータセット、又は時間周波数リソース、及び無線構成パラメータセットを確定することができる。例えば、当該第１の指示情報は、基地局が第２のシステム情報を送信するのに使用されるリソースが物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）であることを示すことができる。
【０１０５】
端末は、第１の指示情報に示される時間周波数リソースに基づいて、当該時間周波数リソースで上記の少なくとも二つの無線構成パラメータセットを全て確認することによって、第２のシステム情報を受信するための第２の無線構成パラメータセットを確定することができる。第２のシステム情報を受信するための無線構成パラメータセットを確定するために、端末は、第１の指示情報に示される時間周波数リソースに基づいて、当該時間周波数リソースで、その他の無線構成パラメータセットに基づいて受信しても良い。つまり、基地局が第２のシステム情報を送信するのに基づかれる無線構成パラメータセットは、上記の少なくとも二つの無線構成パラメータセット内のいずれか一つの又は複数であっても良く、上記の少なくとも二つの無線構成パラメータセットの範囲内でなくでも良く、そのための無線構成パラメータセットに基づいて第２のシステム情報を送信する。
【０１０６】
端末は、第１の指示情報に示される無線構成パラメータセットに基づいても良く、当該無線構成パラメータセットに基づいて、端末のサポートする帯域内で、第２のシステム情報を受信するための帯域をサーチし、そして第２のシステム情報を受信するための時間周波数リソースを確定する。端末は、第１の指示情報に示される時間周波数リソースと無線構成パラメータセットとに基づいて、第２のシステム情報を受信することも可能である。
【０１０７】
なお、当該基地局は、複数の第２のシステム情報を同時に送信することが可能であり、各第２のシステム情報に対応する時間周波数リソース及び／又は無線構成パラメータセットは、第１のシステム情報に含まれる指示情報によって示されることが可能であり、各指示情報は、一つの第２のシステム情報に対応する時間周波数リソース及び／又は無線構成パラメータセットを示すために用いられる。
【０１０８】
任意選択で、当該第２のシステム情報は、複数のシステムサブ情報であっても良く、当該第１の指示情報は、複数のシステムサブ情報内の第１のシステムサブ情報の時間周波数リソース及び／又は無線構成パラメータセットを示すために用いられ、当該第１のシステムサブ情報は、当該複数のシステムサブ情報内の第２のシステムサブ情報の時間周波数リソース及び／又は無線構成パラメータセットの指示情報を示すために用いられる。
【０１０９】
つまり、第２のシステム情報に一つ以上のシステムサブ情報が含まる場合、サブ情報を送信する時間の前後順序に基づいて、一つ前のサブ情報に、次のサブ情報を送信するのに使用される時間周波数リソース及び／又は無線構成パラメータセットを含ませることができる。ここで、最初に送信されるシステムサブ情報（即ち、第１のシステムサブ情報）に使用される時間周波数リソース及び／又は無線構成パラメータセットの指示情報（即ち、第１の指示情報）は、第１のシステム情報に含まれる。
【０１１０】
換言すれば、第２のシステム情報が複数のシステムサブ情報を含む場合、カスケード指示の方式によって、基地局が各システムサブ情報を送信するのに使用される時間周波数リソース及び／又は無線構成パラメータセットを順次に示すことが可能である。
【０１１１】
なお、端末は、時間周波数リソース及び／又は無線構成パラメータセットに基づいて、各システムサブ情報を受信する具体的な方法は、上記に記載されている、第１の時間周波数リソース及び／又は第１の無線構成パラメータセットに基づいて、第１のシステム情報を受信する具体的な方法と同様であり、便宜上、ここで省略する。
【０１１２】
そのため、本発明の実施例におけるシステム情報の伝送方法は、第１のシステム情報に、基地局第２のシステム情報を送信するのに使用される時間周波数リソース及び／又は無線構成パラメータセットを示すための指示情報を含ませることによって、リソース構成の柔軟性を保障すると同時に、端末が第２のシステム情報を迅速、正確に受信することに有利である。
【０１１３】
なお、上記に説明されている基地局と端末との間で第１のシステム情報と第２のシステム情報とを伝送する方法は、第１のセルに位置する端末の起動後のネットワーク選択、又は第１のセルに位置する端末のアイドルモードから接続モードに変わる場合のセルの再選に必要な場面に適用することができる。本発明はこれに限らず、例えば、端末がセルのエッジに位置し、セルのハンドオーバーが必要である場合に、隣接セルのシステム情報を取得する必要があるかも知らず、端末が隣接セルのシステム情報を取得する具体的な過程も、本発明によって実現しても良い。
【０１１４】
任意選択で、当該方法２００は、
基地局は、端末に第２の指示情報を送信することをさらに含み、当該第２の指示情報は、端末が第３のシステム情報を受信するのに使用される時間周波数リソース及び／又は無線構成パラメータセットを示すために用いられ、第３のシステム情報は第２のセルのシステム情報であり、第２のセルは第１のセルと隣接する。
【０１１５】
具体的に、第１のセルのエッジに位置する端末がセルのハンドオーバーを行って第２のセルにアクセスすることができるように、基地局は、端末より報告される測定レポートに基づいて、端末に隣接セルリストを送信し、セルリダイレクトメッセージ又はセルのハンドオーバーメッセージなどを送信することができる。端末が上記のシグナリングを受信した後に、第２の指示情報に示される第３のシステム情報を受信するのに使用される時間周波数リソース及び／又は無線構成パラメータセットに基づいて、第２のセルのシステム情報（即ち、第３のシステム情報）を直接に取得し、セルリダイレクト又はセルのハンドオーバーを完成させることができるように、上記の第２の指示情報は、隣接セルリスト、セルリダイレクトメッセージ又はセルのハンドオーバーメッセージなどのシグナリングによりベアリングされてもよい。
【０１１６】
なお、端末が第２の指示情報に示される時間周波数リソース及び／又は無線構成パラメータセットに基づいて、第３のシステム情報を取得する具体的な方法は、上記に説明されている第１の時間周波数リソース及び／又は第１の無線構成パラメータセットに基づいて、第１のシステム情報を受信する具体的な方法と同様であり、便宜上、ここで省略する。
【０１１７】
また、第３のシステム情報は、上記に説明されている第１のシステム情報のような詳細なシステム情報であっても良く、相違点として、第１のシステム情報は第１のセルのシステム情報であり、第３のシステム情報は第３のセルのシステム情報である。第３のシステム情報はＭＩＢを含んでも良く、ＭＩＢとＳＩＢとを含んでもよい。第３のシステム情報がＭＩＢを含む場合、当該第３のシステム情報に、端末が第４のシステム情報（例えば、第２のセルのＳＩＢ）を受信するのに使用される時間周波数リソース及び／又は無線構成パラメータセットを示すための指示情報をさらに含んでもよい。なお、第３のシステム情報に指示情報を含ませる具体的な方法と内容は、上記に説明されている第１のシステム情報に第１の指示情報を含ませる具体的な方法及び内容とは、同様であり、便宜上、ここで省略する。
【０１１８】
なお、上記に列挙されている隣接セルリスト、セルリダイレクトメッセージ又はセルのハンドオーバーメッセージに第２の指示情報を含ませるのは、基地局が第２の指示情報を送信する一つの選択可能な実現形態に過ぎず、本発明へのいかなる制限になるべきではなく、基地局は、その他のメッセージ又はシグナリングによって当該第２の指示情報を含ませても良く、本発明は、これに対して特に限定しない。
【０１１９】
上記に記載されている基地局は、端末が第２の指示情報に示される時間周波数リソース及び／又は無線構成パラメータセットに基づいて、第３のシステム情報を受信することができるように、端末に第２の指示情報を送信する方法は、第１のセルと第２のセルとが時間において同期されている前提としている。第１のセルが第２のセル時間と同期されていない場合、当該時間周波数リソースは、第２のセルと同期する時間周波数リソースであり、それの第１のセルへの相対的な時間周波数の位置は、タイマーオフセットによって確定される必要がある。そのため、当該方法２００は、
基地局は、端末に第３の指示情報を送信することをさらに含み、当該第３の指示情報は、第１のセルと第２のセルとのタイマーオフセットを示すために用いられる。
【０１２０】
それによって、端末は、上記の第２の指示情報に示される時間周波数リソース及び／又は無線構成パラメータセット、および第３の指示情報に示されるタイマーオフセットに基づいて、当該時間周波数リソースが第１のセル内の相対的な時間周波数の位置を計算することができ、そして第３のシステム情報を取得する。
【０１２１】
なお、基地局が第３の指示情報を送信する具体的な方法は、第２の指示情報を送信する具体的な方法と同様又は相違しても良く、基地局は、上記の隣接セルリスト、セルリダイレクトメッセージ又はセルのハンドオーバーメッセージによって第３の指示情報を含ませてもよく、その他のメッセージ又はシグナリングによって第３の指示情報を含ませてもよい。第２の指示情報と第３の指示情報とは、同一のメッセージにベアリングされてもよく、二つのメッセージにベアリングされてもよい。本発明は、これに対して特に限定しない。
【０１２２】
なお、上記の第２の指示情報、第３の指示情報は、当該第１のセルの基地局により、第２のセルの基地局から取得してもよく、又は他のネットワークエレメント（例えば、無線ネットワークコントローラー（ＲＮＣ：Ｒａｄｉｏ  Ｎｅｔｗｏｒｋ  Ｃｏｎｔｒｏｌｌｅｒ））によって当該第１のセルの基地局に送信してもよく、又は中継デバイスによって当該第１のセルの基地局に転送してもよい。本発明は、これに対して特に限定しない。
【０１２３】
そのため、本発明の実施例におけるシステム情報の伝送方法は、基地局が端末に送信されるシグナリングに、隣接セルシステム情報を受信するための時間周波数リソース及び／又は無線構成パラメータセットを含ませることによって、端末がセルリダイレクト又はセルのハンドオーバーを行うときに隣接セルのシステム情報を取得することに有利であり、リソース構成の柔軟性を保証すると同時に、端末が第３のシステム情報を迅速、正確に受信することに有利であり、端末のセルへのアクセスの効率を向上させることができる。
【０１２４】
上記において、図２を結合して本発明の実施例によるシステム情報の伝送方法を詳しく説明している。下記において、図３と図４を結合して本発明の実施例による基地局と端末とを詳しく説明する。
【０１２５】
図３は、本発明の一つの実施例による基地局３００の概略的なブロック図である。図３に示するように、当該基地局３００は、取得ユニット３１０、確定ユニット３２０、および送信ユニット３３０を含む。
【０１２６】
ここで、当該取得ユニット３１０は、少なくとも二つの無線構成パラメータセットを取得するように構成され、少なくとも二つの無線構成パラメータセット内の各無線構成パラメータセットは、少なくとも一つの無線構成パラメータを含み、いずれか二つの無線構成パラメータセット内の少なくとも一つの無線構成パラメータの値が異なる。
【０１２７】
当該確定ユニット３２０は、当該少なくとも二つの無線構成パラメータセットから、第１の時間帯で第１のシステム情報を伝送するための少なくとも一つの第１の無線構成パラメータセットを確定するように構成される。
【０１２８】
当該送信ユニット３３０は、当該少なくとも一つの第１の無線構成パラメータセットに基づいて、第１の時間帯で少なくとも一つの第１の周波数ドメインリソースを介して第１のシステム情報を送信するように構成され、当該少なくとも一つの第１の周波数ドメインリソースは、当該少なくとも一つの第１の無線構成パラメータセットと、第１の時間帯内で一対一対応され、当該少なくとも一つの第１の周波数ドメインリソース内のいずれか二つの周波数ドメインリソースに対応する周波数が異なる。
【０１２９】
本発明の実施例による基地局３００は、本発明の実施例によるシステム情報の伝送方法における基地局に対応することができ、しかも、当該基地局３００内の各モジュールと上記のその他の操作及び／又は機能のそれぞれは、図２内の方法の対応するフローを実現するためであり、便宜上、ここで省略する。
【０１３０】
そのため、本発明の実施例による基地局は、システム情報を伝送するために、少なくとも二つの無線構成パラメータセットを取得し、無線リソース構成の柔軟性を向上させることができる。端末において当該少なくとも二つの無線構成パラメータセットを取得することによって、端末が第１のシステム情報を伝送ための第１の無線構成パラメータセットを確定することに有利であり、端末は第１の無線構成パラメータセットを迅速、正確に確定することができ、それによって第１のシステム情報を正確に取得することができる。
【０１３１】
図４は、本発明の一つの実施例による端末４００の概略的なブロック図である。図４に示すよう、当該端末４００は、取得ユニット４１０、及び受信ユニット４２０を含む。
【０１３２】
ここで、当該取得ユニット４１０は、少なくとも二つの無線構成パラメータセットを取得するように構成され、少なくとも二つの無線構成パラメータセット内の各無線構成パラメータセットは、少なくとも一つの無線構成パラメータを含み、いずれか二つの無線構成パラメータセット内の少なくとも一つの無線構成パラメータの値が異なる。
【０１３３】
当該受信ユニット４２０は、少なくとも二つの無線構成パラメータセット内の少なくとも一つの第１の無線構成パラメータセットに基づいて、第１の時間帯で少なくとも一つの第１の周波数ドメインリソースを介して、基地局により送信される第１のシステム情報を受信するように構成され、当該少なくとも一つの第１の周波数ドメインリソースは、当該少なくとも一つの第１の無線構成パラメータセットと、第１の時間帯内で一対一対応され、当該少なくとも一つの第１の周波数ドメインリソース内のいずれか二つの周波数ドメインリソースに対応する周波数が異なる。
【０１３４】
本発明の実施例による端末４００は、本発明の実施例によるシステム情報の伝送方法内の端末に対応することができ、しかも、当該端末４００内の各モジュールと上記のその他の操作及び／又は機能のそれぞれは、図２内の方法の対応するフローを実現するためであり、便宜上、ここで省略する。
【０１３５】
そのため、本発明の実施例による端末は、少なくとも二つの無線構成パラメータセットを取得し、第１のシステム情報を受信するときに、当該少なくとも二つの無線構成パラメータセットから第１の無線構成パラメータセットを確定し、それによって、第１のシステム情報を正確に取得する。
【０１３６】
上記において、図３と図４を結合して本発明の一つの実施例による基地局と端末を詳しく説明している。下記において、図５と図６を結合して本発明別の一つの実施例による基地局と端末を詳しく説明する。
【０１３７】
図５は、本発明別の一つの実施例による基地局５００の概略的なブロック図である。図５に示すように、当該基地局５００は、送受信装置５１０、プロセッサ５２０、メモリ５３０、およびバスシステム５４０を含み、ここで、送受信装置５１０、プロセッサ５２０、およびメモリ５３０は、バスシステム５４０によって接続され、当該メモリ５３０は、命令を記憶するように構成され、当該プロセッサ５２０は、当該メモリ５３０に記憶される命令を実行するように構成され、送受信装置５１０が信号を送受信するように制御する。
【０１３８】
ここで、当該プロセッサ５２０は、少なくとも二つの無線構成パラメータセットを取得するように構成され、少なくとも二つの無線構成パラメータセット内の各無線構成パラメータセットは、少なくとも一つの無線構成パラメータを含み、いずれか二つの無線構成パラメータセット内の少なくとも一つの無線構成パラメータの値が異なる。
【０１３９】
当該プロセッサ５２０は、当該少なくとも二つの無線構成パラメータセットから、第１の時間帯で第１のシステム情報を伝送するための少なくとも一つの第１の無線構成パラメータセットを確定するようにさらに構成される。
【０１４０】
当該送受信装置５１０は、当該少なくとも一つの第１の無線構成パラメータセットに基づいて、当該第１の時間帯で少なくとも一つの第１の周波数ドメインリソースを介して第１のシステム情報を送信するように構成され、当該少なくとも一つの第１の周波数ドメインリソースは、当該少なくとも一つの第１の無線構成パラメータセットと、当該第１の時間帯内で一対一対応され、当該少なくとも一つの第１の周波数ドメインリソース内のいずれか二つの周波数ドメインリソースに対応する周波数が異なる。
【０１４１】
なお、本発明の実施例において、当該プロセッサー５２０は、中央処理ユニット（ＣＰＵ：Ｃｅｎｔｒａｌ  Ｐｒｏｃｅｓｓｉｎｇ  Ｕｎｉｔ）であっても良く、当該プロセッサー５２０は、その他の汎用プロセッサー、デジタルシグナルプロセッサ（ＤＳＰ）、専用集積回路（ＡＳＩＣ）、現場でプログラマブルゲートアレイ（ＦＰＧＡ）又はその他のプログラマブルロジックデバイス、ディスクリートゲート又はトランジスタ論理デバイス、ディスクリートハードウェアコンポーネントであってもよい。汎用プロセッサーは、マイクロプロセッサーであっても良く、又は当該プロセッサーはいずれかの通常のプロセッサーなどであっても良い。
【０１４２】
当該プロセッサ５２０は、読み取り専用のメモリとランダムアクセスメモリを含むことができ、プロセッサ５２０に命令とデータを提供する。プロセッサ５２０の一部は、不揮発性ランダムアクセスメモリをさらに含む。例えば、プロセッサ５２０は、デバイスタイプの情報を記憶することも可能である。
【０１４３】
当該バスシステム５４０は、データバス以外に、電源バス、制御バスと状態信号バス等を含んでもよい。明確に説明するために、図に示される各バスは、バスシステム５４０と記載する。
【０１４４】
実現過程において、上記方法の実施例における各ステップは、プロセッサ５２０におけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。該記憶媒体はメモリ５３０に位置し、プロセッサ５２０はメモリ５３０における命令を実行し、そのハードウェアと組み合わせて上記方法のステップを完成する。重複を避けるために、ここで省略する。
【０１４５】
本発明の実施例による基地局５００は、本発明の実施例によるシステム情報の伝送方法内の基地局に対応することができ、しかも、当該基地局５００内の各モジュールと上記のその他の操作及び／又は機能のそれぞれは、図２内の方法の対応するフローを実現するためであり、便宜上、ここで省略する
そのため、本発明の実施例による基地局は、システム情報を伝送するための少なくとも二つの無線構成パラメータセットを取得し、無線リソース構成の柔軟性を向上させることができる。しかも端末が当該少なくとも二つの無線構成パラメータセットを取得することによって、端末は、第１のシステム情報を伝送ための第１の無線構成パラメータセットを確定することに有利であり、端末は、第１の無線構成パラメータセットを迅速、正確に確定し、それによって第１のシステム情報を正確に取得することができる。
【０１４６】
図６は、本発明別の一つの実施例による端末６００の概略的なブロック図である。図６に示すように、当該端末６００は、送受信装置６１０、プロセッサ６２０、メモリ６３０、およびバスシステム６４０を含み、ここで、送受信装置６１０、プロセッサ６２０、およびメモリ６３０は、バスシステム６４０によって接続され、当該メモリ６３０は、命令を記憶するように構成され、当該プロセッサ６２０は、当該メモリ６３０に記憶される命令を実行するように構成され、送受信装置６１０の信号の送受信を制御する。
【０１４７】
ここで、当該プロセッサ６２０は、少なくとも二つの無線構成パラメータセットを取得するように構成され、少なくとも二つの無線構成パラメータセット内の各無線構成パラメータセットは、少なくとも一つの無線構成パラメータを含み、いずれか二つの無線構成パラメータセット内の少なくとも一つの無線構成パラメータの値が異なる。
【０１４８】
当該送受信装置６１０は、少なくとも二つの無線構成パラメータセット内の少なくとも一つの第１の無線構成パラメータセットに基づいて、第１の時間帯で少なくとも一つの第１の周波数ドメインリソースを介して、基地局により送信される第１のシステム情報を受信するように構成され、当該少なくとも一つの第１の周波数ドメインリソースは、当該少なくとも一つの第１の無線構成パラメータセットと、当該第１の時間帯内で、一対一対応され、当該少なくとも一つの第１の周波数ドメインリソース内のいずれか二つの周波数ドメインリソースに対応する周波数が異なる。
【０１４９】
本発明の実施例による端末６００は、本発明の実施例によるシステム情報の伝送方法内の端末に対応することができ、しかも、当該端末６００内の各モジュールと上記のその他の操作及び／又は機能のそれぞれは、図２内の方法の対応するフローを実現するためであり、便宜上、ここで省略する。
【０１５０】
そのため、本発明の実施例による端末、少なくとも二つの無線構成パラメータセットを取得し、第１のシステム情報を受信する時に、当該少なくとも二つの無線構成パラメータセットから、第１の無線構成パラメータセットを確定し、それによって第１のシステム情報を正確に取得することができる。
【０１５１】
なお、本開示に記載されている用語「及び／又は」は、単なる関連対象の対応関係を記載しているだけであり、３つの関係が表されることができる。例えば、Ａ及び/又はＢは、Ａのみが存在する場合と、Ａ及びＢの両方とも存在する場合と、Ｂのみが存在する場合とを表すことができる。さらに、本開示における文字“／”は、概して前後関連対象間の「又は」という関係を表している。
【０１５２】
本開示に開示されている実施例の記載を結合した各方法ステップとユニットは、電子ハードウェア、コンピュータソフトウェア、又はそれらの結合で実現することができると、当業者であれば理解できる。ハードウェアとソフトウェアの互換性の可能性を明確に説明するため、上記の説明において機能に基づいて各実施例のステップ、及び組成を一般的に説明している。これらの機能はハードウェアそれともソフトウェアで実行するかは、技術案の特定運用と設計制約に依存する。当業者は、各特定した運用に基づいて異なる方法を使用して記載されている機能を実現することができるが、このような実現は、本発明の範囲外というわけではない。
【０１５３】
当業者は、説明の便利と簡潔上、上記に記載されているシステム、装置及びユニットの具体的な動作については、上記の方法実施例の対応されているフローを参照することができ、ここでそれ以上を述べない。
【０１５４】
本開示に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互いにカップリング、又は直接のカップリング、又は通信接続は、幾つかのインターフェース、装置、又はユニットの間接のカップリング又は通信によって接続されても良く、電気的、機械的、又はその他の形式であっても良い。
【０１５５】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１５６】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１５７】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記システム情報の伝送方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１５８】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020184791.tif 000003
【図２】
2020184791.tif 000004
【図３】
2020184791.tif 000005
【図４】
2020184791.tif 000006
【図５】
2020184791.tif 000007
【図６】
2020184791.tif 000008